(57)【要約】【課題】簡単な構造で製造容易な装着補助具を用いてコンドームの装着を違和感なく容易にするとともに装着後の装着補助具の除去取扱いを容易とする。【解決手段】コンドームと装着補助具よりなる男性用避妊具において、前記装着補助具は、コイル状部材によりリング状に形成されたものであって、前記コイル状部材はゴム状弾性物質、高分子物質発泡体、高分子物質および金属なる群より選ばれた材料により構成されていることを特徴とする男性用避妊具よりなるものである。さらに装着補助具を芯部としてコンドーム開口端側からコンドーム外周を内側として巻き上げて巻き上げ部を形成した形態の男性用避妊具とその製造方法に関する。このような構成をとることにより装着が容易でしかも装着後の取り外しも容易であるなどの効果を奏する。【選択図】　図１
2004141217.tif 000002
【特許請求の範囲】
【請求項１】
天然ゴムまたは合成ゴムのコンドームと装着補助具よりなる男性用避妊具において、
前記装着補助具は、コイル状部材によりリング状に形成されたものであり、前記コイル状部材はゴム状弾性物質、高分子物質発泡体、高分子物質および金属なる群より選ばれた材料により構成されていることを特徴とする男性用避妊具。
【請求項２】
装着補助具は、コイル形状の直径が１〜２ミリメートルであることを特徴とする請求項１に記載の男性用避妊具。
【請求項３】
コンドームの開口端部付近の外周面に装着補助具の内周を隣接させた状態で、前記装着補助具を芯部としてコンドームの外周面を内側にして巻き上げられた巻き上げ部がコンドームに形成されていることを特徴とする請求項１ないし請求項２に記載の男性用避妊具。
【請求項４】
コンドームの開口端部付近の外周面に装着補助具の内周を隣接させ、ついで前記装着補助具を芯部としてコンドームの外周面を内側にして巻き上げて巻き上げ部をコンドームに形成してコンドームと装着補助具とより男性用避妊具を製造する方法において、
前記装着補助具は、コイル状部材によりリング状に形成されたものであり、前記コイル状部材はゴム状弾性物質、高分子物質発泡体、高分子物質および金属なる群より選ばれた材料により構成されていることを特徴とする上記製造方法。
【請求項５】
男性用避妊具用装着補助具において、前記装着補助具はコイル状部材によりリング状に形成されたものであり、前記コイル状部材はゴム状弾性物質、高分子物質発泡体、高分子物質および金属なる群より選ばれた材料により構成されていることを特徴とする装着補助具。
【発明の詳細な説明】
【０００１】
【発明の属する技術分野】
本願発明は、装着が容易なコンドームと補助具とよりなる男性用避妊具に関する。
【０００２】
【従来の技術】
男性用避妊具のいわゆるコンドームは、コンドーム本体の先端部に一体に形成された精液溜を有し、また後端部の開口端部には通常一体に形成されたリングを有しており、この開口端部のリングをベースとしてコンドーム外周面が内側となるように先端部に向かって巻き上げられて巻上げ部を形成した第５図にみるような形態にしてから包装され、市販されている。そして、装着時には、コンドーム内側となる先端の閉端部を陰茎先端に接触させてから、この巻き上げ部を巻き戻しつつ陰茎に装着するようになっている。
【０００３】
しかし、コンドームはなるべく薄いものが好まれる傾向があるところから、このリングをベースにした巻き上げ部の厚み（直径）は３ミリ程度となってしまい、装着時に装着しにくいという問題が生じている。
このため、従来よりこの不便さを解消するためのいろいろな工夫が提案されている。
【０００４】
たとえば、特開平１０−１６５４３３には装着時リングが開示され、ここでは、コンドームのおもて面の識別用凹凸を備えたゴムリングの内部に、脱落防止用突起を備えたガイド棒を、中央に陰茎差し込み用空間をもつ形で組み、差し込み口を中央に設けた底面シートをゴムリング底部に取り付け、コンドームをガイド棒と底面シートで上下から挟み込んだ構造となっているが、このようなものは構造が比較的簡単とはいえ、ゴムリングがあまり変形しやすいと底面シートが破れてこわれてしまうとか、装着する際にこのような用具をわざわざ用意しなくてはならないとかなどの欠点がある。
【０００５】
また、特開平７−３０８３３６には、Ｕ字状筒体にこれを支える台を設けるとともにコンドームを固定するみぞを設けた装着器具、さらに、特開平６−１４９５２や特開平６−１５４２６０にはコンドームを保持し、装着を容易にするリング状のコンドームアプリケータなどが開示されているが、コンドームを装着器具やアプリケータに一旦セットしてから陰茎に装着し、しかも装着後取り去らねばならず、塗布されたゼリーによる汚染とか、それ自体常に清潔にしておかなければならないとか、装着使用時にわざわざコンドームをアプリケータなどに装着しなければならないとか、アプリケータを常時用意しておかなければならないなどの欠点がある。
【０００６】
さらに、特開平８−５６９７８、特開平８−２５２２７７、特開平６−１９７９２１、特開平９−２４０５９などには、コンドーム装着が容易なように、開口端部のリングをベースにして巻き上げて巻き上げ部を形成する際に、少なくとも一本、ないし一対のテープ状物を添えて巻き上げると、装着時にこのテープ状物を陰茎根本側に引張ることにより巻き上げ部が巻き戻されて、容易に装着できるということが開示されている。
【０００７】
しかしながら、この方法によるとわざわざアプリケータやその他の補助具を使用しなくてもよいという利点があるものの、このテープ状物は、なるべく巾と厚みがないほうがよいが、巾と厚みをすくなくすると装着時に引張りにくいとか、あるいは巻き上げ部を形成する際に巻き上げにくいとか、コンドームにゼリーが塗布されている場合にはゼリーにくっついてしまってつかみにくくなる場合があるなどの問題が生じ、一方、巾や厚みを増すと、たとえば厚みのみを厚くすると巻き上げ部の一部だけが嵩高となって見た目がよくないという欠点が生じ、また、両者を増すと装着時に引張りやすいなどの利点がでてくる一方で、巻き上げ部の形状が偏平になってしまって円形状とならず、見た目が極端に悪くなるとともに装着しにくくなるなどの問題が生じる。
【０００８】
さらにまた、特開平９−４７４６６には、ポリ塩化ビニルフイルムのような軟質性フィルムで形成されたコンドームが開示されている。ここではポリ塩化ビニルフイルムでコンドーム状に一体形成するのは困難なところから２枚のフイルムの側部を熱シールにより形成するとともに、陰茎の勃起状態よりもややゆるめの大きさの形状にするものであるが、熱シール部分に多少のバリが生じるためにバリを陰茎側としなくてはならないとされている。そして、大きさがややゆるめであるために脱去防止のために、陰茎根元部付近のフイルムコンドームに直径５ミリの収縮自在のシリコーンゴムなどの円形リングであって、フイルムコンドームの開口円周よりやや小さめなものを使用するものである。しかしながら、フイルム２枚を熱シールにより接着するため、接着部にピンホールが発生しやすく、避妊効果上問題があるとか、接着部にバリが生ずるため、形成されたコンドームを裏返してバリをコンドーム内側としなければならないし、フイルムは軟質性とはいえシワが生じるところから、シワによっては先端部が硬いものとなり、膣壁に傷をつけたり、痛みを伴うなど必ずしも好ましくないし、バリにより陰茎に損傷を与えかねないものである。
【０００９】
このように、軟質塩化ビニルフイルムを用いたコンドームは、陰茎よりやや大きく形成されているためコンドーム全体にわたってシワが生じやすいとか、ピンホールの生成を防止するのが困難であるなど諸問題があり、実用的であるとはいえないものである。
【００１０】
【発明が解決しようとする課題】
上述のように、コンドームを装着しやすくする工夫などがいろいろと試みられ、提案されているが、製造しやすく、見た目も違和感のなく、装着時には不要となる補助具を容易に取り外せることができ、装着しやすいコンドームとすることなどが求められている。
【００１１】
【課題を解決すべき手段】
本願発明は、上述の問題点を解決するとともに、解決しようとする課題を克服すべくなされたものである。
【００１２】
本願発明は、天然ゴムまたは合成ゴムのコンドームと装着補助具よりなる男性用避妊具に関するものである。
【００１３】
より詳しくは、天然ゴムまたは合成ゴムのコンドームと装着補助具よりなる男性用避妊具において、
前記装着補助具は、コイル状部材によりリング状に形成されたものであり、前記コイル状部材はゴム状弾性物質、高分子物質発泡体、高分子物質および金属なる群より選ばれた材料により構成されていることを特徴とする男性用避妊具に関するものであり、このコイル形状の直径は０．５〜４ミリメートル、好ましくは１〜２ミリメートルである。
【００１４】
また、本願発明は、コンドームの開口端部付近の外周面に装着補助具を隣接した状態で前記装着補助具を芯部としてコンドームを巻き上げて、巻き上げ部を形成した形態のコンドームよりなる男性用避妊具に関するものである。さらに、本願発明は、コンドームの開口端部付近の外周面に装着補助具を隣接させ、この装着補助具を芯部として、コンドーム外表面を巻き込むようにして、コンドーム先端へ向けて閉端部まで巻き上げて巻き上げ部を形成することを特徴とするコンドームと装着補助具とより男性用避妊具の製造方法に関するものである。
【００１５】
さらに、本願発明は、男性用避妊具用装着補助具は、コイル状部材によりリング状に形成されたものであり、前記コイル状部材はゴム状弾性物質、高分子物質発泡体、高分子物質および金属なる群より選ばれた材料により構成されていることを特徴とする装着補助具に関するものである。
【００１６】
本願は発明についてさらに説明する。
本願発明で使用するコンドームとしては従来から広く知られている各種の材料のものが使用できるが、天然ゴムないし合成ゴムを使用して形成されたものが一番好ましいものである。
このコンドームとしては着色剤を使用して着色したものでもよいし、その他適宜の添加剤を添加して形成されたものでもよい。
さらに、コンドームにゼリーを塗布したものも使用できる。
【００１７】
そして、装着補助具は、コイル状部材によりリング状に形成されたものであり、前記コイル状部材はゴム状弾性物質、高分子物質発泡体、高分子物質および金属なる群より選ばれた材料により構成されている。
【００１８】
ここで、ゴム状弾性物質としては、天然ゴム、合成ゴム、ポリウレタン弾性体、エチレン・プロピレンゴム、アクリルゴム、エチレン−アクリルゴム、シリコンゴムなどが挙げられ、高分子物質発泡体としては、ポリスチレン発泡体、ポリエチレンやポリプロピレンなどのポリオレフィンの発泡体およびポリウレタン発泡体などが挙げられ、さらに高分子物質としては、ポリエチレン、ポリプロピレン、ポリブチレンなどのポリオレフィンやポリスチレンなどの熱可塑性高分子、ポリエステルやナイロンなどの繊維形成性の高分子物質のほかにポリエステルとナイロンとのコンジュゲート繊維などのコイル状になりやすい物質などが挙げられる。
【００１９】
また、金属としては鉄やステンレススチールなどの鉄合金、アルミニウム、ニッケルやニッケル合金および銀など金属であればなんでも使用できる。これらの金属は金属そのものでもよいし、またニスやラッカーなどの塗料を使用して塗膜をその表面に形成したものでもよい。この塗料は無着色のものでもよいし着色したものであってもよく、着色する場合にはコンド−ムの色とのコンビネーションを考慮するほうがよい。
【００２０】
これらの装着補助具としては、無着色のものでもよいが、コンドームの色とのコンビネーションを考えるべきであるが、装着補助具が容易にわかるような色とする工夫も場合によっては必要である。しかし、コンドームの色とあまり違和感のない色彩を考えて適宜着色することが好ましい。コイル形状の直径は任意の大きさのものが使用できるが、コンドームとの関係で直径もおのずと制限されてくるが、あまり小さいと、巻き上げ部を形成したときに使用した効果があまり出てこないので、通常は０．５〜４ミリ程度、好ましくは１〜２ミリ程度の直径でよい。
【００２１】
装着補助具をその内周面がコンドームの開口端近傍の外周面上に接触させるとともに先端方向にリング状物が芯部となるようにコンドーム本体の外周面を内側として開端部まで巻き上げて巻き上げ部を形成する。
そして、この巻き上げ部は結局、装着補助具を芯部としてそのまわりにコンドーム本体がまかれた構造となるところから、芯部の直径の大きさだけ、巻き上げ部の直径も増加するため、通常は３〜４ミリ程度の巻き上げ部の直径が４〜６ミリ程度と大きくなるところから、装着が容易となる。
【００２２】
この避妊具を装着後、装着補助具を除去しなければならないが、装着補助具がコイル状部材により形成されているので除去しようとする場合、コイル状部材が容易に伸びて結果として陰茎外周より相当大きなリングとなるので、陰茎よりはずしやすくなる。
【００２３】
さらに、テープ状物を使用したのと相違して見た目もきれいで、違和感がなく巻き上げ部の形状も円形ないしほぼ円形であるので装着しやすいなどの利用がある。とくに性行為をする前から装着することは一般的ではないといわれており、一般的には性行為の途中で装着されることになる。このような場合には膣などからの分泌物で陰茎表面が潤滑されておりきわめて装着しにくくなっている。このような場合にも本願発明の男性用避妊具は装着が容易であるという利点を有している。そして、構造がきわめて簡単で製造もしやすく、従来からのコンドーム製造機械を何らの補修をすることなく適用することができるという製造上のメリットもある。
【００２４】
本願発明を図を用いて具体的に説明する。
第６図は、従来のコンドーム１’を示し、開口端部は通常コンドーム本体と一体に形成されたリング（図示せず）を有し、このリングをベースとしてコンドーム外周面を内側にして巻き込むようにして閉端部４’まで巻き上げて巻き上げ部３’を形成し、このような形態のコンドーム１’を各別に包装して製品としている。
この場合、リングの直径あるいは大きさはコンドームの膜厚よりやや大きくしてあり、これを芯部として巻き上げられている。しかし、このリングの直径はコンドームの膜厚よりやや大きくしてあるものの、この膜厚が厚いと性感がそこなわれるなどとしてより薄いものが好まれているため、リングの直径はどうしても小さくならざるをえなくなる。そうすると、巻き上げ部３’の大きさ（直径）は小さくなってしまうところから、巻き戻しながら陰茎に装着しようとすると巻き戻しが容易ではないなどの実際の問題が生じている。
なお、第６図で５’は精液溜を示す。
【００２５】
そこで、本願発明は、第１図に示すように男性用避妊具１は、装着補助具２を巻き上げ部３を形成する際に芯部として使用して、コンドームの膜厚のいかんにかかわらず巻き上げ部３の大きさ（直径）を装着しやすいような大きさに調節しようとするものである。第１図は巻き上げ部３を一部切り欠いた男性用避妊具の斜視図を示す。ここで、４は閉端部、５は精液溜、２は装着補助具を示す。このような形態の男性用避妊具が各別に包装され商品となる。
【００２６】
図２は、装着補助具２の正面図を、図３は装着補助具２の側面図を示す。装着補助具２は、コイル部材によりリング状に形成されており、しかも装着補助具の内周９がコンドーム外周の大きさとほぼ等しく、かつコイル状部材８がゴム状弾性物質、高分子物質発泡体および高分子物質なる群より選ばれた材料により構成されている。このため、伸縮自在に取り扱うことができる。本願発明の男性用避妊具を装着する場合には、装着補助具が巻き上げ部３の芯部に入っているので巻き上げ部３の太さが大きくなり（直径が大きくなり）、装着しやすくなるとともに装着補助具がコイル状部材によりリング状に形成されているため巻き上げ部３内で装着補助具による締め付け圧力が生ずることがなく（陰茎を締め付けながら装着することにはならず）、一方、装着後は容易にコイル部材が伸縮するので陰茎より取り外しが容易となる。
なお、７はコイル形状の直径を、１０は装着補助具の外周をそれぞれ示す。
【００２７】
第４図ａは、巻き上げ部３を形成する前の男性用避妊具１０を示す。ここで６はコンドーム本体を、５は精液溜を、２は装着補助具を示す。この装着補助具２は、コンドームの開口端にコンドーム本体６と一体に形成されたリング（図示せず）に接触させるようにして（すなわち、コンドームの開口端部付近に取り付けられ）このリングとこの装着補助具２を芯部としてコンドームの外周を内側にして巻き込むようにして（矢印のようにして）コンドーム先端部に向けて閉端部まで巻き上げて、巻き上げ部３を形成する。図４ｂはこの巻き上げ部３を形成している途中の段階を示し、図４ｃは巻き上げ部３を形成し終わった段階を示すものである。この図４ｃのものを巻き上げ部を水平にしてみた斜視図が図１に相当するものである。
【００２８】
第５図は、第１図の巻き上げ部３付近の一部の断面図を示し、２は装着補助具、４は閉端部を示す。巻き上げ部３は、第４図でみるように装着補助具を芯部としてその周囲にコンドームが開口端部から、先端に向けて閉端部まで捲回されているため、巻き上げ部の大きさ（直径）が大きくなり装着しやすくなる。
【００２９】
【発明の効果】
上述したように、本願発明は、コンドームと装着補助具とよりなる男性用避妊具であり、装着補助具を使用することによりコンドームの巻き上げ部の大きさないし太さ（直径）が大きくなるので、とくに性行為の途中段階での装着がきわめて容易になるとともに、装着補助具がコイル状部材によりリング状に形成されているので、コイル状部材により伸縮自在であるので、装着後に取り外しがきわめて簡単に行える利点がある。また、性行為の途中段階で装着することがほとんどであるので、リボン状物を介在させたものでは雰囲気にそぐわず、違和感が生ずるが、本願発明の装着補助具では装着完了の直前まで目に触れることがないので、従来のコンドームの感覚で装着すればよいものである。しかも、装着補助具は構造が簡単で製造しやすいものであるし、この補助具を芯部として巻き上げ部を形成するにしても従来の製造装置をそのまま使用することができ、さらに包装して商品化するにしても包装材料はほとんど従来の使用量とかわらないなどの効果を奏する。
【図面の簡単な説明】
【図１】巻き上げ部の一部を切り欠いた男性用避妊具の斜視図を示す。
【図２】装着補助具の正面図を示す。
【図３】図２に示された装着補助具の側面図を示す。
【図４ａ】巻き上げ部を形成する前の状態の男性用避妊具の側面図を示す。
【図４ｂ】巻き上げ部を形成する途中の状態の男性用避妊具の側面図を示す。
【図４ｃ】巻き上げ部を形成し終わった状態の男性用避妊具の側面図を示す。
【図５】第１図の男性用避妊具の巻き上げ部の一部の断面図を示す。
【図６】従来の巻き上げ部が形成されたコンドームの斜視図を示す。
【符号の説明】
１：巻き上げ部が形成された男性用避妊具
１’：巻き上げ部が形成された従来のコンドーム
２：装着補助具
３および３’：巻き上げ部
４、４’：閉端部
５および５’：精液溜
６：コンドーム本体
７：コイル形状の直径
８：コイル状部材
９：７の内周
１０：７の外周
【図１】
2004141217.tif 000003
【図２】
2004141217.tif 000004
【図３】
2004141217.tif 000005
【図４ａ】
2004141217.tif 000006
【図４ｂ】
2004141217.tif 000007
【図４ｃ】
2004141217.tif 000008
【図５】
2004141217.tif 000009
【図６】
2004141217.tif 000010